(57)【要約】      （修正有）【課題】操作が便利で、使用者の腰部の損傷を引き起さず、制御部品により副タンク中の水が特定量に達する場合のみにウォーターポンプを起動させ、エネルギーを節約できる除湿機を提供する。【解決手段】除湿機は、本体及び主タンクを有する。主タンクは、本体の横方向に結合し、本体に対して上方に移動して本体と分離する。本体は、副タンク、ウォーターポンプ、及び制御部品を有する。ウォーターポンプは、副タンクの水を主タンクに送り込む。制御部品１５は、浮き玉１５１を有する。浮き玉は、副タンクに位置する水位につれて上下移動する。浮き玉が上方の起動位置に移動した場合、ウォーターポンプを運転させ、浮き玉が下方の停止位置に移動した場合、ウォーターポンプの運転を停止させる。副タンクとウォーターポンプを設けたことにより、主タンクを本体の横方向に設けて上方に引いて分離するように設計できる。【選択図】図５
0003228411.tif 000002
【実用新案登録請求の範囲】
【請求項１】
本体及び主タンクを有し、
前記本体は、凝縮器、集水トレイ、副タンク、ウォーターポンプ、及び制御部品を有し、
前記集水トレイは、前記凝縮器の真下に設けられ、排水口を有し、
前記副タンクは、前記集水トレイの下方に設けられ、互いに連通する集水口及び空間を有し、
前記集水口は、前記集水トレイの前記排水口に対向し、
前記ウォーターポンプは、吸水ポート及び排水ポートを有し、
前記吸水ポートは、前記副タンクの前記空間に連通し、
前記制御部品は、前記ウォーターポンプに電気接続され、起動位置、停止位置、及び浮き玉を有し、
前記停止位置は、前記起動位置より低く、
前記浮き玉は、前記副タンクの前記空間に位置し、前記空間中の水位につれて上下移動し、
前記浮き玉が上方に前記起動位置に移動した場合、前記制御部品によって前記ウォーターポンプを運転させ、
前記ウォーターポンプを第１時間運転した後、前記浮き玉が下方に前記停止位置より低い位置に移動した場合、前記制御部品によって前記ウォーターポンプの運転を停止させ、
前記ウォーターポンプを第１時間運転した後、前記浮き玉が前記停止位置より低い位置に移動しなかった場合、前記制御部品によって前記ウォーターポンプを第２時間運転させ、
前記ウォーターポンプを第２時間運転した後、前記浮き玉が前記停止位置より低い位置に移動しなかった場合、前記制御部品によって前記ウォーターポンプの運転及び前記本体の運転を停止させ、
前記主タンクは、前記本体に分離可能に結合して前記本体の横方向に位置し、前記本体に対して上方に移動して前記本体と分離するように構成され、集水空間を有し、
前記主タンクと前記本体とを結合する場合、前記本体の前記ウォーターポンプの前記排水ポートは、前記集水空間に連通することを特徴とする、
ウォーターポンプ制御部品を有する除湿機。
【請求項２】
前記制御部品は、第１センサー部及び第２センサー部を更に有し、
前記第１センサー部は、前記浮き玉に接続され、前記浮き玉と同期に移動し、
前記第２センサー部は、前記ウォーターポンプに電気接続され、前記第１センサー部の位置を感知できることを特徴とする、
請求項１に記載のウォーターポンプ制御部品を有する除湿機。
【請求項３】
前記制御部品は、固定部及び位置制限部を更に有し、
前記固定部は、前記副タンクに固設され、
前記位置制限部は、上下移動可能に前記固定部に設けられ、前記副タンクの前記空間に延伸され、前記浮き玉に接続されることを特徴とする、
請求項１又は２に記載のウォーターポンプ制御部品を有する除湿機。
【請求項４】
前記副タンクは、上蓋及び浮き玉用孔を更に有し、
前記上蓋は、前記空間を覆い、
前記集水口が前記上蓋に形成し、前記固定部が前記上蓋に固設され、
前記浮き玉用孔は、前記上蓋に形成し、前記空間に連通し、
前記位置制限部は、前記浮き玉用孔を介して前記空間に延伸され、
前記浮き玉は、前記浮き玉用孔に選択的に装着されることを特徴とする、
請求項３に記載のウォーターポンプ制御部品を有する除湿機。
【請求項５】
前記副タンクは、組み立て用台座を更に有し、
前記組み立て用台座は、前記上蓋に固設され、前記浮き玉用孔の上方に延伸され、
前記制御部品の前記固定部は、前記浮き玉用孔の上方に位置し、前記組み立て用台座に固設されることを特徴とする、
請求項４に記載のウォーターポンプ制御部品を有する除湿機。
【請求項６】
前記本体は、ケーシング及び受容用環状壁部を更に有し、
前記ケーシングは、外表面を有し、
前記受容用環状壁部は、前記ケーシングに接続され、前記ケーシングの横方向に位置し、前記ケーシングの外表面と共にタンク空間を囲んで形成し、
前記主タンクは、上方に分離可能に前記タンク空間内に設けられることを特徴とする、
請求項１又は２に記載のウォーターポンプ制御部品を有する除湿機。
【考案の詳細な説明】
【技術分野】
【０００１】
本考案は、家電製品、特に除湿機に関する。
【背景技術】
【０００２】
以下、除湿機の基本的な動作原理を説明する。ファンによって環境中の空気を機械内に吸い込み、熱交換器を通って、空気中の水分を凝結して、水滴として落ちて集中し、ウォーターポンプによってタンクに送り込む。その同時に、空気は乾燥した熱空気として機械外に排出される。そのような循環をすると、室内の湿度を低下させる。
【０００３】
従来の除湿機において、タンクは、通常、除湿機全体の底部且つ床に近い所に位置し、本体に対して横方向に分離することしかできない。従って、タンクが満水になると、使用者が腰を屈めてタンクを横方向に取り出した後、タンクを持ち上げて水を捨てなければならない。しかしながら、満水のタンクが一定の重量を有するため、そのような構造は、操作が不便で、重いため倒しやすく、使用者の腰部の損傷を引き起こしやすい。
【０００４】
また、競争が激しくなる市場において、このような家電製品のエネルギー消費及び運転時の音量は、重要な指標として見られている。そのため、除湿機の課題としては、如何に必要な場合のみにウォーターポンプを起動させ、ウォーターポンプの長時間運転によるエネルギー消費及び雑音を改善することにある。
【考案の概要】
【考案が解決しようとする課題】
【０００５】
前記先行技術の欠点及び不足を鑑みて、本考案は、ウォーターポンプ制御部品を有する除湿機を提供する。タンクは、本体の横方向に設けられ、そのまま上方に引いて本体と分離できる。また、除湿機は、制御部品を更に有するため、副タンク中の水が特定量に達する場合のみにウォーターポンプを起動させ、エネルギーを節約できる。
【課題を解決するための手段】
【０００６】
上記目的を達成するために、本考案のウォーターポンプ制御部品を有する除湿機は、本体及び主タンクを有する。前記本体は、凝縮器、集水トレイ、副タンク、ウォーターポンプ、及び制御部品を有する。前記集水トレイは、前記凝縮器の真下に設けられ、排水口を有する。前記副タンクは、前記集水トレイの下方に設けられ、互いに連通する集水口及び空間を有する。前記集水口は、前記集水トレイの前記排水口に対向する。前記ウォーターポンプは、吸水ポート及び排水ポートを有する。前記吸水ポートは、前記副タンクの前記空間に連通する。前記制御部品は、前記ウォーターポンプに電気接続され、起動位置、停止位置、及び浮き玉を有する。前記停止位置は、前記起動位置より低い。前記浮き玉は、前記副タンクの前記空間に位置し、前記空間中の水位につれて上下移動する。前記浮き玉が上方に前記起動位置に移動した場合、前記制御部品によって前記ウォーターポンプを運転させる。前記ウォーターポンプを第１時間運転した後、前記浮き玉が下方に前記停止位置より低い位置に移動した場合、前記制御部品によって前記ウォーターポンプの運転を停止させる。前記ウォーターポンプを第１時間運転した後、前記浮き玉が前記停止位置より低い位置に移動しなかった場合、前記制御部品によって前記ウォーターポンプを第２時間運転させる。前記ウォーターポンプを第２時間運転した後、前記浮き玉が前記停止位置より低い位置に移動しなかった場合、前記制御部品によって前記ウォーターポンプの運転及び前記本体の運転を停止させる。前記主タンクは、前記本体に分離可能に結合して前記本体の横方向に位置し、前記本体に対して上方に移動して前記本体と分離するように構成され、集水空間を有する。前記主タンクと前記本体とを結合する場合、前記本体の前記ウォーターポンプの前記排水ポートは、前記集水空間に連通する。
【考案の効果】
【０００７】
本考案の利点としては、副タンクを集水トレイの下方に設けることで、下に落ちた水滴を副タンクによって一時的に貯蔵し、吸水ポートと副タンクを連通し、排水ポートと主タンクの集水空間を連通し、ウォーターポンプによって副タンクに一時貯蔵した水を主タンクの集水空間に送り込む。それによって、主タンクは、重力によって除湿機の底部に設置しなければならないという制限がなく、本体の横方向に設けられ、上方に引いて本体と分離できるように設計できる。このようにすると、操作が便利で、タンクを倒し難く、使用者の腰部の損傷を引き起さない。
【０００８】
また、制御部品をウォーターポンプに電気接続され、浮き玉を副タンクの空間に設けられ、適切な起動位置及び停止位置を設定することで、浮き玉が副タンク内の水位につれて設定した起動位置に移動した場合に、ウォーターポンプを起動させ、浮き玉が副タンク内の水位につれて設定した停止位置に移動した場合に、ウォーターポンプの運転を停止させる。そのようにすれば、起動位置及び停止位置を調整することで、必要な場合（例えば、副タンクの水位の９０％に起動させ、１０％の時に停止させる）のみにウォーターポンプを起動させる。よって、エネルギー消耗を節約し、ウォーターポンプの長時間運転による雑音を改善できる。
【図面の簡単な説明】
【０００９】
【図１】本考案の立体外観図である。
【図２】本考案の主タンク及び本体の分解図である。
【図３】本考案の本体内部の分解図である。
【図４】本考案の本体内部の他の分解図である。
【図５】本考案の副タンクの上蓋及び制御部品の素子分解図である。
【図６】本考案の側面断面図である。
【考案を実施するための形態】
【００１０】
以下、図面及び本考案の実施例を開示しながら本考案の目的及び技術的な手段を詳しく説明する。
【００１１】
図１及び図２を参照しながら説明する。本考案のウォーターポンプ制御部品を有する除湿機は、本体１０及び主タンク２０を有する。
【００１２】
図２、図３、及び図４を参照しながら説明する。本体１０は、凝縮器１１、集水トレイ１２、副タンク１３、ウォーターポンプ１４、制御部品１５、ケーシング１６、及び受容用環状壁部１７を有する。
【００１３】
集水トレイ１２は、凝縮器１１の真下に設けられ、排水口１２１を有する。
【００１４】
図４、図５、及び図６を参照しながら説明する。副タンク１３は、集水トレイ１２の下方に設けられ、空間１３２、集水口１３１、上蓋１３３、浮き玉用孔１３４、及び組み立て用台座１３５を有する。
【００１５】
集水口１３１は、空間１３２に連通し、集水トレイ１２の排水口１２１に対向する。上蓋１３３は、空間１３２を覆う。集水口１３１は上蓋１３３に形成される。浮き玉用孔１３４は、上蓋１３３に形成され、空間１３２に連通する。組み立て用台座１３５は、上蓋１３３に固設され、浮き玉用孔１３４の上方に延伸される。
【００１６】
図４を参照しながら説明する。ウォーターポンプ１４は、吸水ポート１４１及び排水ポート１４２を有する。吸水ポート１４１は、副タンク１３の空間１３２に連通する。
【００１７】
図４、図５、及び図６を参照しながら説明する。制御部品１５は、ウォーターポンプ１４に電気接続され、起動位置、停止位置、浮き玉１５１、固定部１５２、及び位置制限部１５３を有する。
【００１８】
起動位置及び停止位置は、要求によって設定できる。具体的には、副タンク１３中の水位が特定位置（例えば、満水位の９０％）より高い場合に起動し、特定位置（例えば、満水位の１０％）より低い場合に停止するように設定できる。そのため、一般的には、停止位置は起動位置より低い。
【００１９】
浮き玉１５１は、副タンク１３の空間１３２に位置し、空間１３２中の水位につれて上下移動できる。
【００２０】
本実施例において、浮き玉１５１が副タンク１３中の水位につれて上方に起動位置に移動した場合、制御部品１５によってウォーターポンプ１４を運転させる。また、ウォーターポンプ１４を第１時間（要求によって設定できる）運転した後、浮き玉１５１が下方に停止位置より低い位置に移動した場合、制御部品１５によってウォーターポンプ１４の運転を停止させる。なお、ウォーターポンプ１４を第１時間運転した後、浮き玉１５１が停止位置より低い位置に移動しなかった場合、制御部品１５によってウォーターポンプ１４を第２時間（要求によって設定できる）運転させる。ウォーターポンプ１４を前記第２時間運転した後、浮き玉１５１が停止位置より低い位置に移動した場合、制御部品１５によってウォーターポンプ１４の運転を停止させる。最後に、ウォーターポンプ１４を第２時間運転した後、浮き玉１５１が停止位置より低い位置に移動しなかった場合、制御部品１５によってウォーターポンプ１４の運転及び本体１０の運転を停止させて、故障を表示する。
【００２１】
また、本実施例において、制御部品１５は、第１センサー部１５４及び第２センサー部１５５を更に有する。第１センサー部１５４は、位置制限部１５３に固設されることで浮き玉１５１に接続され、浮き玉１５１と同期に移動する。第２センサー部１５５は、本体１０の内壁面に固設され、ウォーターポンプ１４に電気接続され、第１センサー部１５４の位置を感知できる。それによって、第２センサー部１５５は、第１センサー部１５４によって、浮き玉１５１と起動位置及び停止位置との関係を判別し、制御部品１５によって上記対応動作を行う。また、具体的には、本実施例において、第１センサー部１５４及び第２センサー部１５５はリードスイッチである。
【００２２】
制御部品１５によってウォーターポンプ１４を制御する方法は、上記に限定されない。例えば、他の実施例において、制御部品１５は、トグルスイッチ及びトグル部を更に有する。トグルスイッチは、任意位置に固設され、ウォーターポンプ１４に電気接続される。トグル部は、浮き玉１５１又は位置制限部１５３に固設される。それによって、浮き玉１５１が起動位置に移動した場合、トグル部がトグルスイッチに当接し、トグルスイッチによってウォーターポンプ１４を運転させる。浮き玉１５１が停止位置に移動した場合、トグル部がトグルスイッチに当接し、トグルスイッチによってウォーターポンプ１４の運転を停止させる。
【００２３】
固定部１５２は、副タンク１３に固設される。具体的には、本実施例において固定部１５２は、浮き玉用孔１３４の上方に位置し、組み立て用台座１３５及び上蓋１３３に固設される。
【００２４】
位置制限部１５３は、上下移動可能に固定部１５２に設けられ、浮き玉用孔１３４を通って副タンク１３の空間１３２に延伸され、浮き玉１５１に接続される。それによって、位置制限部１５３によって、副タンク１３中の水位につれて上下移動するように浮き玉１５１を制限し、自由に水に浮かぶことを防止できる。また、浮き玉１５１は、浮き玉用孔１３４に選択的に装着できる。即ち、副タンク１３中の水位が上蓋１３３の底面に近い場合、浮き玉１５１が浮き玉用孔１３４に装着されるため、上蓋１３３の底面に当接して水面下に沈むことを防止できる。よって、副タンク１３中の水位をより確実に反映できる。
【００２５】
浮き玉１５１の設置方法は、上記に制限されない。例えば、他の実施例において、副タンク１３は、上蓋１３３、浮き玉用孔１３４、及び組み立て用台座１３５を有しない。制御部品１５の固定部１５２は、そのままケーシング１６に固設され、位置制限部１５３を介して副タンク１３に伸ばして浮き玉１５１に接続される。なお、他の実施例において、制御部品１５は、固定部１５２及び位置制限部１５３を有しない。浮き玉１５１は、独立に副タンク１３中に設けられる。
【００２６】
図１及び図２を参考しながら説明する。ケーシング１６は、外表面を有する。
【００２７】
受容用環状壁部１７は、ケーシング１６に接続され、ケーシング１６の横方向に位置する。受容用環状壁部１７とケーシング１６の外表面によってタンク空間１７１を囲んで形成する。
【００２８】
主タンク２０は、本体１０に分離可能に結合して本体１０の横方向に位置するように構成される。具体的には、本実施例において、主タンク２０は、上方に分離可能にタンク空間１７１に設けられる。主タンク２０は、本体１０に対して上方に移動して本体１０と分離できる。主タンク２０は、集水空間を有する。主タンク２０と本体１０を結合する場合、本体１０のウォーターポンプ１４の排水ポート１４２は、集水空間に連通する。
【００２９】
副タンク１３を集水トレイ１２の下方に設けることで、副タンク１３によって下に落ちた水滴を一時的に貯蔵し、吸水ポート１４１と副タンク１３を連通し、排水ポート１４２と主タンク２０の集水空間を連通し、ウォーターポンプ１４によって副タンク１３に一時貯蔵した水を主タンク２０の集水空間に送り込む。それによって、主タンク２０は、重力によって除湿機の底部に設置しなければならないという制限がなく、本体１０の横方向に設けられ、上方に引いて本体１０と分離できるように設計できる。このようにすると、操作が便利で、タンクを倒し難く、使用者の腰部の損傷を引き起さない。
【００３０】
また、制御部品１５をウォーターポンプ１４に電気接続され、浮き玉１５１を副タンク１３の空間１３２に設けられ、適切な起動位置及び停止位置を設定することで、浮き玉１５１が副タンク１３内の水位につれて設定した起動位置に移動した場合に、ウォーターポンプ１４を起動させ、浮き玉１５１が副タンク１３内の水位につれて設定した停止位置に移動した場合に、ウォーターポンプ１４の運転を停止させる。そのようにすれば、起動位置及び停止位置を調整することで、必要な場合（例えば、副タンク１３の水位の９０％に起動させ、１０％の時に停止させる）のみにウォーターポンプ１４を起動させる。よって、エネルギー消耗を節約し、ウォーターポンプ１４の長時間運転による雑音を改善できる。
【００３１】
上記内容は、あくまで本考案の実施例である。本考案は、上記内容によって制限されない。当業者は、本考案の精神及び技術範囲を逸脱しない限りにおいて、本考案の開示内容に基づいて均等的な変更及び改良を行うことができる。しかしながら、本考案の開示内容に基づいてなされる均等的な変更及び改良は、いずれも本考案の範囲に含まれる。
【符号の説明】
【００３２】
１０  本体
１１  凝縮器
１２  集水トレイ
１２１  排水口
１３  副タンク
１３１  集水口
１３２  空間
１３３  上蓋
１３４  浮き玉用孔
１３５  組み立て用台座
１４  ウォーターポンプ
１４１  吸水ポート
１４２  排水ポート
１５  制御部品
１５１  浮き玉
１５２  固定部
１５３  位置制限部
１５４  第１センサー部
１５５  第２センサー部
１６  ケーシング
１７  受容用環状壁部
１７１  タンク空間
２０  主タンク
【図１】
0003228411.tif 000003
【図２】
0003228411.tif 000004
【図３】
0003228411.tif 000005
【図４】
0003228411.tif 000006
【図５】
0003228411.tif 000007
【図６】
0003228411.tif 000008